(57)【要約】【課題】奥行きや立体感の視覚効果を備える画像印刷物の作成方法及びその作成装置を提供する。【解決手段】レンチキュラレンズを並べたレンチキュラシートを用いることにより、平面の各画像に段階的な奥行きを持たせるレイヤーデプス、連続的な立体感を実現する擬似フルデプス、連続的で自然な立体感を実現するフルデプスの少なくとも１つの視覚効果を備える画像印刷物の作成方法であって、使用画像の取込から画像印刷物の作成までを、視覚効果に応じる処理と、レンチキュラシートに画像を対応させるインタレース処理とを介して、一連の処理で行う。【選択図】図１
2006311422.tif 000002
【特許請求の範囲】
【請求項１】
レンチキュラレンズを並べたレンチキュラシートを用いることにより、平面の各画像に段階的な奥行きを持たせるレイヤーデプス、連続的な立体感を実現する擬似フルデプス、連続的で自然な立体感を実現するフルデプスの少なくとも１つの視覚効果を備える画像印刷物の作成方法であって、
使用画像の取込から画像印刷物の作成までを、前記視覚効果に応じる処理と、前記レンチキュラシートに画像を対応させるインタレース処理とを介して、一連の処理で行うことを特徴とする画像印刷物の作成方法。
【請求項２】
課金を確認する処理を備え、課金確認から画像印刷物の作成までを一連の処理で行うことを特徴とする請求項１記載の画像印刷物の作成方法。
【請求項３】
使用画像の取込を、撮影手段による撮影、内部画像記憶手段からの読込、外部画像記憶手段からの読込より選択して行うことを特徴とする請求項１又は２記載の画像印刷物の作成方法。
【請求項４】
撮影手段による撮影は、予め決めた位置に被写体を誘導するよう、撮影位置を指定することを特徴とする請求項３記載の画像印刷物の作成方法。
【請求項５】
撮影手段による撮影は、鏡又は表示部に位置決め用のマーキングを形成し、前記マーキングに被写体を一致させることを特徴とする請求項４記載の画像印刷物の作成方法。
【請求項６】
撮影手段による撮影は、単数又は複数の撮影手段を被写体に対して直線状若しくは円弧状に配置し、異なる方向から撮影することを特徴とする請求項３〜５のいずれかに記載の画像印刷物の作成方法。
【請求項７】
インタレース処理した画像をメディアシートに出力することを特徴とする請求項１〜６のいずれかに記載の画像印刷物の作成方法。
【請求項８】
インタレース処理した画像をメディアシートに出力し、出力したメディアシートとレンチキュラシートとを位置合わせするよう貼り付けて画像印刷物を作成することを特徴とする請求項１〜６のいずれかに記載の画像印刷物の作成方法。
【請求項９】
インタレース処理した画像をレンチキュラシートに位置合わせして出力することを特徴とする請求項１〜６のいずれかに記載の画像印刷物の作成方法。
【請求項１０】
視覚効果に応じる処理で、
レイヤーデプスの処理は、平面に奥行きが形成される浮き沈み量に対応するよう、一枚の画像を左右方向へ移動させて複数のフレーム画像を作成し、
擬似フルデプスの処理は、平面に立体感が形成される浮き沈み量に対応するよう、横方向に区画した一枚の画像の画像要素を左右方向へ移動させて、全体を変形する複数のフレーム画像を作成し、
フルデプスの処理は、平面に立体感が形成される浮き沈み量及び立体中心位置に基づき、被写体を異なる方向から撮影して複数のフレーム画像を作成することを特徴とする請求項１〜９のいずれかに記載の画像印刷物の作成方法。
【請求項１１】
単数又は複数の撮影手段を被写体に対して直線状に配置し、異なる方向から撮影する場合において、フルデプスの処理は、撮影された複数の写真における被写体のセンタリング位置を合わせるよう、フレーム画像の位置を調整することを特徴とする請求項１〜９のいずれかに記載の画像印刷物の作成方法。
【請求項１２】
レンチキュラシートの被写体の表示配置を変更し得るようセンタリング位置を修正する請求項１１記載の画像印刷物の作成方法。
【請求項１３】
レンチキュラシートの被写体の表示配置を変更し得るよう被写体と撮影手段の距離を調整することを特徴とする請求項１１又は１２記載の画像印刷物の作成方法。
【請求項１４】
インタレース処理は、レンチキュラシートのレンチキュラレンズ数に対応するよう画像を分割し、分割した画像をレンチキュラレンズの幅に対応するよう線状画像に加工し、前記線状画像を、画像が奥行き又は立体感を生じる順番で各レンチキュラレンズ単位ごとに配列することを特徴とする請求項１〜１３のいずれかに記載の画像印刷物の作成方法。
【請求項１５】
インタレース処理は、レンチキュラシートのレンチキュラレンズ数に対応するよう画像を分割し、分割した画像をレンチキュラレンズの幅に対応するよう線状画像に加工し、前記線状画像をレンチキュラレンズの配置に対応するピッチで配列し、夫々の線状画像を、画像が奥行き又は立体感を生じる順番でずらして重ね合せることを特徴とする請求項１〜１３のいずれかに記載の画像印刷物の作成方法。
【請求項１６】
立体又は非立体の視覚効果を含む背景画像を選択してインタレース処理により線状画像を作成し、前記背景画像の線状画像とフレーム画像の線状画像とを合成することを特徴とする請求項１４又は１５記載の画像印刷物の作成方法。
【請求項１７】
立体又は非立体の視覚効果を含む背景画像を選択して複数のフレーム画像に合成し、合成フレーム画像をインタレース処理することを特徴とする請求項１４又は１５記載の画像印刷物の作成方法。
【請求項１８】
レンチキュラレンズを並べたレンチキュラシートを用いることにより、平面の各画像に段階的な奥行きを持たせるレイヤーデプス、連続的な立体感を実現する擬似フルデプス、連続的で自然な立体感を実現するフルデプスの少なくとも１つの視覚効果を備える画像印刷物の作成装置であって、
使用画像を取り込む画像取込部と、取り込んだ画像を視覚効果に応じて処理する画像処理部と、画像処理手段からの画像をレンチキュラシートに対応させるようインタレース処理するインタレース処理部と、画像印刷物を作成する出力部とを備え、
使用画像の取込から画像印刷物の作成までを一連して行うよう構成したことを特徴とする画像印刷物の作成装置。
【発明の詳細な説明】
【技術分野】
【０００１】
本発明は、視覚効果を有する画像印刷物を作成する画像印刷物の作成方法及びその作成装置に関するものである。
【背景技術】
【０００２】
近年、ボックス状の室内で撮影した画像を直ちに印刷し得るよう画像印刷物の作成装置が存在しており、画像印刷物の作成装置は、カメラ等の撮影部と、撮影部で撮影した画像を表示する画面表示部と、撮影した画像に所定の効果を施す制御部と、撮影部及び制御部からの信号を受けて処理する印刷部とを備えている。
【０００３】
画像印刷物の作成装置で印刷物を作成する際には、ボックス内に居るユーザが、撮影部により撮影される自らの撮影状態を、画面表示部により確認すると共に背景画像や大きさ等を選択して決定し、印刷部からの印刷により画像をシール等の画像印刷物として作成するようにしている。
【０００４】
なお、このような画像印刷物の作成装置を示すものとしては、例えば、特許文献１がある。
【特許文献１】特開２００４−２２９０１３号公報
【発明の開示】
【発明が解決しようとする課題】
【０００５】
しかしながら、このような画像印刷物の作成装置では、撮影した画像に施す装飾等が、固定した視覚効果に限定されるため、一層の視覚効果を有するような画像印刷物を作成することができないという問題があった。
【０００６】
本発明は、斯かる実情に鑑み、奥行きや立体感の視覚効果を備える画像印刷物の作成方法及びその作成装置を提供するものである。
【課題を解決するための手段】
【０００７】
本発明は、レンチキュラレンズを並べたレンチキュラシートを用いることにより、平面の各画像に段階的な奥行きを持たせるレイヤーデプス、連続的な立体感を実現する擬似フルデプス、連続的で自然な立体感を実現するフルデプスの少なくとも１つの視覚効果を備える画像印刷物の作成方法であって、
使用画像の取込から画像印刷物の作成までを、前記視覚効果に応じる処理と、前記レンチキュラシートに画像を対応させるインタレース処理とを介して、一連の処理で行うことを特徴とする画像印刷物の作成方法、にかかるものである。
【０００８】
本発明は、課金を確認する処理を備え、課金確認から画像印刷物の作成までを一連の処理で行うことが好ましい。
【０００９】
本発明は、使用画像の取込を、撮影手段による撮影、内部画像記憶手段からの読込、外部画像記憶手段からの読込より選択して行うことが好ましい。
【００１０】
本発明において、撮影手段による撮影は、予め決めた位置に被写体を誘導するよう、撮影位置を指定することが好ましい。
【００１１】
本発明において、撮影手段による撮影は、鏡又は表示部に位置決め用のマーキングを形成し、前記マーキングに被写体を一致させることが好ましい。
【００１２】
本発明において、撮影手段による撮影は、単数又は複数の撮影手段を被写体に対して直線状若しくは円弧状に配置し、異なる方向から撮影することが好ましい。
【００１３】
本発明は、インタレース処理した画像をメディアシートに出力することが好ましい。
【００１４】
本発明は、インタレース処理した画像をメディアシートに出力し、出力したメディアシートとレンチキュラシートとを位置合わせするよう貼り付けて画像印刷物を作成することが好ましい。
【００１５】
本発明は、インタレース処理した画像をレンチキュラシートに位置合わせして出力することが好ましい。
【００１６】
本発明は、視覚効果に応じる処理で、
レイヤーデプスの処理は、平面に奥行きが形成される浮き沈み量に対応するよう、一枚の画像を左右方向へ移動させて複数のフレーム画像を作成し、
擬似フルデプスの処理は、平面に立体感が形成される浮き沈み量に対応するよう、横方向に区画した一枚の画像の画像要素を左右方向へ移動させて、全体を変形する複数のフレーム画像を作成し、
フルデプスの処理は、平面に立体感が形成される浮き沈み量及び立体中心位置に基づき、被写体を異なる方向から撮影して複数のフレーム画像を作成することが好ましい。
【００１７】
本発明は、単数又は複数の撮影手段を被写体に対して直線状に配置し、異なる方向から撮影する場合において、フルデプスの処理は、撮影された複数の写真における被写体のセンタリング位置を合わせるよう、フレーム画像の位置を調整することが好ましい。
【００１８】
本発明は、レンチキュラシートの被写体の表示配置を変更し得るようセンタリング位置を修正することが好ましい。
【００１９】
本発明は、レンチキュラシートの被写体の表示配置を変更し得るよう被写体と撮影手段の距離を調整することが好ましい。
【００２０】
本発明において、インタレース処理は、レンチキュラシートのレンチキュラレンズ数に対応するよう画像を分割し、分割した画像をレンチキュラレンズの幅に対応するよう線状画像に加工し、前記線状画像を、画像が奥行き又は立体感を生じる順番で各レンチキュラレンズ単位ごとに配列することが好ましい。
【００２１】
本発明において、インタレース処理は、レンチキュラシートのレンチキュラレンズ数に対応するよう画像を分割し、分割した画像をレンチキュラレンズの幅に対応するよう線状画像に加工し、前記線状画像をレンチキュラレンズの配置に対応するピッチで配列し、夫々の線状画像を、画像が奥行き又は立体感を生じる順番でずらして重ね合せることが好ましい。
【００２２】
本発明は、立体又は非立体の視覚効果を含む背景画像を選択してインタレース処理により線状画像を作成し、前記背景画像の線状画像とフレーム画像の線状画像とを合成することが好ましい。
【００２３】
本発明は、立体又は非立体の視覚効果を含む背景画像を選択して複数のフレーム画像に合成し、合成フレーム画像をインタレース処理することが好ましい。
【００２４】
本発明は、レンチキュラレンズを並べたレンチキュラシートを用いることにより、平面の各画像に段階的な奥行きを持たせるレイヤーデプス、連続的な立体感を実現する擬似フルデプス、連続的で自然な立体感を実現するフルデプスの少なくとも１つの視覚効果を備える画像印刷物の作成装置であって、
使用画像を取り込む画像取込部と、取り込んだ画像を視覚効果に応じて処理する画像処理部と、画像処理手段からの画像をレンチキュラシートに対応させるようインタレース処理するインタレース処理部と、画像印刷物を作成する出力部とを備え、
使用画像の取込から画像印刷物の作成までを一連して行うよう構成したことを特徴とする画像印刷物の作成装置にかかるものである。
【発明の効果】
【００２５】
本発明によれば、画像印刷物は、固定した視覚効果に限定されることなく、奥行きや立体感の視覚効果を得ることができる。又、使用画像の取込から画像印刷物の作成までを一連の処理で行うので、視覚効果を備えた画像印刷物を、使用画像の取込から容易に且つ連続的に作成することができるという優れた効果を奏する。
【発明を実施するための最良の形態】
【００２６】
以下、本発明の実施の形態例を添付図面を参照して説明する。
【００２７】
図１〜図３１は本発明を実施する形態の第一例を示すものである。
【００２８】
本発明の実施の形態例の画像印刷物の作成方法及びその作成装置は、図３に示す如く、半円柱状のレンチキュラレンズ１を多数並べたレンチキュラシート２を用いて画像印刷物を作成するものであり、画像印刷部の作成装置の構成は、図２に示す如く、課金を検出する課金検出部３と、表示画面を備えて画像の処理及び効果を選択し得る表示部４と、使用画像を取り込む画像取込部５と、取り込んだ使用画像を処理する制御部６と、制御部６からの信号により画像を印刷する出力部７と、印刷した画像を画像印刷物に後加工する後加工部８とを備えている。
【００２９】
ここで、制御部６は、内部に、使用画像を視覚効果に応じて処理する画像処理部９と、画像処理部９からの画像をレンチキュラシート２に対応させるようインタレース処理するインタレース処理部１０とを備え、課金確認から画像印刷物の加工までを制御するようにしている。
【００３０】
ユーザが画像印刷物の作成方法及びその作成装置により画像印刷物を作成する際には、図１のフローに示す如く、第一例として、課金検出部３により課金を確認する確認段階（ステップＳ１）と、使用画像の取り込みを選択する段階（ステップＳ２）と、表示部４により画像を立体化するか平面化するかを選択する段階（ステップＳ３）と、立体化の選択に伴って表示部４により画像の浮き沈み量や立体効果（視覚効果）を選択する段階（ステップＳ４）と、立体効果（視覚効果）でフルデプスを選択した場合において深さ方向や中心位置を設定するフルデプス用の設定段階（ステップＳ５）と、画像取込部５の撮影手段により画像を撮影して読み込む画像読込段階（ステップＳ６）と、読み込んだ画像を処理するフレーム画像の処理段階（ステップＳ７）と、背景画像を選択する段階（ステップＳ８）と、レンチキュラシート２にフレーム画像を対応させるインタレース処理の段階（ステップＳ９）と、背景画像をインタレース処理して合成する段階（ステップＳ１０）と、出力部７でレンチキュラシート２若しくは紙やプラスチックシート等のメディアシートへ画像を出力する出力段階（ステップＳ１１）と、後加工部８により裁断等の加工をする後加工段階（ステップＳ１２）と、作成した画像印刷物を排出する排出段階（ステップＳ１３）とを備え、各段階が順に処理されることにより、平面の各画像に段階的な奥行きを持たせるレイヤーデプス、連続的な立体感を実現する擬似フルデプス、連続的で自然な立体感を実現するフルデプスの少なくとも１つの視覚効果を備える画像印刷物を作成する。
【００３１】
ここで、レンチキュラシート２を用いて奥行きや立体感の視覚効果を有する画像印刷物は、図４に示す如く、視差のある複数の画像をレンチキュラシート２の平滑面２ａに配置すると共に、レンチキュラレンズ１の焦点位置を画像面にすることにより、視覚角度が異なる左右の目ｅが別々の画像を認識して奥行きや立体感の視覚効果を生じるようになっている。
【００３２】
以下、画像印刷物を作成する課金確認から写真撮影までを図５のフローにより詳細に説明する。
【００３３】
課金検出部３により課金を確認する確認段階の後には、ユーザがどのような画像を使用するのか表示部４に選択画面を表示し、画像取込部５の撮影手段５ａによる撮影又は画像取込部５からの外部画像の取り込みを選択する（ステップＳ２）。画像取込部５の撮影手段５ａによる撮影を選択した場合には、撮影画像の立体化又は撮影画像の平面化を選択し（ステップＳ３）、外部画像を取り込む場合には外部画像の取り込みの段階へ移行する（ステップＳ３０〜Ｓ３８）。撮影画像の立体化を選択した場合には、立体の浮き沈み量を設定する（ステップＳ４ａ）と共に、立体効果（視覚効果）をレイヤーデプス、擬似フルデプス、フルデプスから選択する（ステップＳ４ｂ）。ここで、装置の構成によっては、レイヤーデプス、擬似フルデプス、フルデプスからの選択、立体の浮き沈み量や中心位置の設定を限定し、予め固定しても良い。なお、立体効果（視覚効果）の夫々の処理は後で詳細に説明するが、この例ではフルデプスを選択した場合であって深さ方向や中心位置を設定した状態を示す（ステップＳ５）。
【００３４】
立体効果（視覚効果）の選択を行った後には、表示部４上に画像取込部５の撮影手段（カメラ）５ａからの映像を表示し（ステップＳａ１）、問題がなければ「ＯＫ」を選択して（ステップＳａ２）、撮影手段５ａで撮影し（ステップＳａ３）、撮影した画像を表示部４上に表示し（ステップＳａ４）、更に問題がなければ「ＯＫ」を選択して（ステップＳａ５）、画像を読み込み（ステップＳ６）、画像を夫々の立体効果（視覚効果）に基づいて処理をする（ステップＳａ６）。ここで「ＯＫ」を選択する段階（ステップＳａ２、Ｓａ５）で「ＮＯ」を選択した場合には、立体の浮き沈み量を設定する段階（ステップＳ４ａ）へ戻るようにしており、又、撮影画像を立体化もしくは平面処理する段階（ステップＳ３）で平面を選択した場合、もしくは立体効果（視覚効果）を選択する段階（ステップＳ４ｂ）でレイヤーデプス、擬似フルデプスを選択した場合は、画像取込部の撮影手段（カメラ）５ａからの映像を、表示部４に表示する段階（ステップＳａ１）へ移行する。
【００３５】
ここで、画像取込部５の撮影手段５ａにより被写体（ユーザ）１１を撮影する際には、図６、図７に示す如く、撮影手段５ａに対して左右方向の位置（Ｘ方向）と、撮影手段５ａからの離間位置（Ｙ方向）の最適位置へ対象物を誘導するよう、床面に立つ位置１２を示しても良いし（図７の（ａ））、椅子１３を設置しても良い（図７の（ｂ））。又、他の例として、図８に示す如く、床面に、撮影手段５ａからの離間位置（Ｙ方向）を示すよう位置決めライン１４を備えると共に、鏡やテレビモニター等の表示部４に位置決め用のマーキング１５を備え、被写体（ユーザ）１１が撮影手段５ａに対して左右方向の位置（Ｘ方向）を決定するようにしても良い。なお、図中ではマーキング１５に目の位置を合わせるようにしている。
【００３６】
一方、画像取込部５の撮影手段５ａは、立体効果（視覚効果）がレイヤーデプスや擬似フルデプスの場合には、図９の（ａ）の如く、被写体１１に対して一台の撮影手段（カメラ）５ａで良く、立体効果（視覚効果）がフルデプスの場合には、図９の（ｂ）（ｄ）の如く、被写体１１に対して複数の撮影手段（カメラ）５ａを直線状若しくは円弧状に並べても良いし、又、図９の（ｃ）（ｅ）の如く、被写体１１に対して一台（単数）の撮影手段（カメラ）５ａを直線状若しくは円弧状に移動するようにしても良い。なお、撮影手段５ａの種類は、撮影できるものならば特に限定されるものではない。
【００３７】
次に、以下、使用画像の選択の段階（図５のステップＳ２）で、外部画像を取り込む選択をした場合（ステップＳ３０〜３８）の処理を図１０のフローにより詳細に説明する。
【００３８】
外部画像の取込は、図１０のフローに示す如く、携帯電話、携帯情報端末、デジタルカメラ等の記録手段や、ＣＤ−Ｒ等の光ディスク、メモリーカード等の記録メディアの外部画像記憶手段から、どの外部画像記憶手段や方法を用いるのか、表示部４により表示してユーザからの選択指示を受ける（ステップＳ３０）。種々の選択肢の中から携帯電話等の記録手段でメールでの送信が選択された場合には、ユーザにより記録手段から装置側メールアドレスへ画像データが送信されることにより（ステップＳ３１ａ）、画像取込部５で画像データを受信し（ステップＳ３２ａ）、表示部４に画像を表示する（ステップＳ３３）。又、種々の選択肢の中から携帯電話等の記録手段で、ＵＳＢやＦｉｒｅ  Ｗｉｒｅ等の有線データ送信が選択された場合には、ユーザにより記録手段の端子が接続されることにより（ステップＳ３１ｂ）、画像取込部５で画像データを読み込み（ステップＳ３２ｂ）、表示部４に画像を表示する（ステップＳ３３）。更に、種々の選択肢の中から携帯電話等の記録手段で、Ｂｌｕｅｔｏｏｔｈ等の無線データ送信が選択された場合には、ユーザにより記録手段から画像データが送信されることにより（ステップＳ３１ｃ）、画像取込部５で画像データを受信し（ステップＳ３２ｃ）、表示部４に画像を表示する（ステップＳ３３）。更に又、種々の選択肢の中から携帯電話等の記録手段で、メモリカード等の記録メディアが選択された場合には、ユーザにより記録メディアが画像取込部５のスロット等に挿入されることにより（ステップＳ３１ｄ）、画像取込部５で画像データを読み込み（ステップＳ３２ｄ）、表示部４に画像を表示する（ステップＳ３３）。
【００３９】
その後、表示部４により表示される画像の確認指示を受けて（ステップＳ３４）、画像を使用画像として読み込み（ステップＳ３５）、別の画像を取り込むか否かを確認し（ステップＳ３６）、別の画像を取り込まない場合（ステップＳ３６のＮｏ）には、更に使用画像を切り抜いて使用するのか、表示部４によりユーザからの選択指示を受け（ステップＳ３７）、切り抜き処理する場合（ステップＳ３７のＹｅｓ）には画像を切り抜いて（ステップＳ３８）外部画像からの取込段階を終了し、切り抜き処理をしない場合（ステップＳ３７のＮｏ）には画像を切り抜くことなく、外部画像からの取込段階を終了する。ここで、画像の確認時（ステップＳ３４）において画像を変更したい場合（ステップＳ３４のＮｏ）には、外部画像記憶手段等の選択段階（ステップＳ３０）へ戻るようになっている。又、別の画像を取り込むか否かを確認する段階（ステップＳ３６）では、別の画像を取り込む場合（ステップＳ３６のＹｅｓ）に、外部画像記憶手段等の選択段階（ステップＳ３０）へ戻るようになっている。
【００４０】
続いて、以下、立体効果（視覚効果）の選択でレイヤーデプス、擬似フルデプス、立体フルデプスを選択した場合の視覚効果に応じた各立体効果（視覚効果）の段階（図１のステップＳ５〜Ｓ７、図５のステップＳ３〜Ｓ６ａ）を図１１〜図２３により詳細に説明する。
【００４１】
立体効果（視覚効果）の選択でレイヤーデプスを選択した場合には、先の段階（図５のステップＳ４ａ）で指定した浮き沈み量に基づいて平面の画像に段階的な奥行きを持たせるよう、図１１のフローに示す如く、画像をレンチキュラレンズ１に対応させるインタレース処理の前段階として一枚の元画像を左右方向に移動させ、複数のフレーム画像を作成する（ステップＳ５ａ〜Ｓ７ａ）。ここで、一例としては、図１２に示す如く、フレーム画像の順番に従って被写体１１を右へ移動するように配置する場合には、被写体１１が浮くように見えるレイヤーデプスを形成し、フレーム画像の順番に従って被写体１１を左へ移動するように配置する場合には、被写体１１が沈むように見えるレイヤーデプスを形成するようになっている。
【００４２】
立体効果（視覚効果）の選択で擬似フルデプスを選択した場合には、先の段階（図５のステップＳ４ａ）で指定した浮き沈み量に基づいて平面に連続的な立体感を実現するよう、図１１のフローに示す如く、画像をレンチキュラレンズ１に対応させるインタレース処理の前段階として、一枚の元画像に高さ方向の情報（高さ情報）を加えて画像を底部から頂部まで段階的に左右方向へ変化させ、複数のフレーム画像を作成する（ステップＳ５ｂ〜Ｓ７ｂ）。ここで、一例としては、図１３に示す如く、一枚の被写体１１の元画像を横方向に区画し、高さ情報に応じて区画の画像要素を異なる移動量で左右方向へ移動させて画像を変形し、画像の欠落部分を補完するよう全体を整え、変形する複数のフレーム画像を作成している。又、図１３では、フレーム画像の順番に従って被写体１１の上部を左へ移動すると共に被写体１１の下部を右へ移動するように配置しており、この場合には、被写体１１の上部が沈むと共に被写体１１の下部が浮くように見える擬似フルデプスを形成している。
【００４３】
立体効果（視覚効果）の選択でフルデプスを選択した場合には、先の段階（図５のステップＳ４ａ）で指定した浮き沈み量に基づいて平面に連続的で自然な立体感を実現するよう、図１１のフローに示す如く、画像をレンチキュラレンズ１に対応させるインタレース処理の前段階として、被写体１１を異なる方向から画像取込部５の撮影手段５ａにより撮影して複数のフレーム画像を作成する（ステップＳ５ｃ〜Ｓ７ｃ）。
【００４４】
ここで、浮き沈み量の設定を説明すると、図１４、図１５に示す如く、複数台の撮影手段５ａを直線状若しくは円弧状に配置した場合に、撮影手段５ａ同士の間隔を変更して立体の浮き沈み量を調整しており（図１４の（ａ）と（ｃ））、一台（単数）の撮影手段５ａを直線状もしくは円弧状に移動可能に配置した場合には、撮影の間隔を変更して立体の浮き沈み量を調整している（図１４の（ｂ）と（ｄ））。又、複数の撮影手段５ａを備えた場合には、撮影手段５ａ同士の間隔を大きくした際に立体の浮き沈み量は大きくなり（図１５の（ｃ））、撮影手段５ａ同士の間隔を小さくした際に立体の浮き沈み量は小さくなる（図１５の（ａ））。又、単数の撮影手段５ａを備えた場合には、撮影の間隔を大きくした際に立体の浮き沈み量は大きくなり（図１５の（ｃ））、撮影の間隔を小さくした際に立体の浮き沈み量は小さくなる（図１５の（ａ））。なお、図１５の（ｂ）には浮き沈み量が中の場合を示している。
【００４５】
次に、立体中心位置の設定を説明すると、図１６、図１７に示す如く、撮影する中心点のセンタリング位置Ｃを、被写体１１より後方、被写体１１自体、被写体１１より前方に変更して、レンチキュラシート２における被写体１１の表示配置を調整しており、センタリング位置Ｃを被写体１１より後方にした場合には、レンチキュラシート２より浮いて見え（図１７の（ａ））、センタリング位置Ｃを被写体１１と同じ位置にした場合には、レンチキュラシート２を中心として浮き沈みをし（図１７の（ｂ））、センタリング位置Ｃを被写体１１より前方にした場合には、レンチキュラシート２より沈んで見える（図１７の（ｃ））。
【００４６】
ここで、単数又は複数の撮影手段５ａが直線状に配置されている場合には、図１８に示す如く、撮影された画像において被写体１１の位置が画像内で位置のずれを生じるため、これを修正するよう、図１９、図２０に示す如く、センタリング処理を施している。センタリング処理は、ズレのないフレーム画像（図２０では第三フレーム画像）を基準として、夫々撮影した被写体１１のセンタリング位置Ｃの垂直線を、基準のセンタリング位置Ｃの垂直線に合致させるよう、被写体１１を移動させ、夫々のフレーム画像を修正し（ステップＳｂ１）、夫々のフレーム画像を保存している（ステップＳｂ２）。
【００４７】
又、センタリング処理は、立体中心位置の設定と同様に、レンチキュラシート２における被写体１１の表示配置（浮き、中央、沈み）を変更し得るよう、図２１〜図２３に示す如く、センタリング位置Ｃに修正を加えることが可能となっている。具体的には、被写体１１の表示配置をレンチキュラシートより浮き位置にする場合には、図２１、図２２の（ａ）に示す如く、フレーム画像のセンタリング位置Ｃを被写体１１の後方位置に設定し、夫々のセンタリング位置Ｃ１の垂直線を、基準のセンタリング位置Ｃ１の垂直線（図２２では第三フレーム画像）に合致させるよう、被写体１１を移動させ、夫々のフレーム画像を修正する。被写体１１の表示配置をレンチキュラシート２中心にする場合には、図２１、図２２の（ｂ）に示す如く、フレーム画像のセンタリング位置Ｃを被写体１１の中央位置に設定し、夫々のセンタリング位置Ｃ２の垂直線を、基準のセンタリング位置Ｃ２の垂直線（図２２では第三フレーム画像）に合致させるよう、被写体１１を移動させ、夫々のフレーム画像を修正する。被写体１１の表示配置をレンチキュラシートにより沈み位置にする場合には、図２１、図２２の（ｃ）に示す如く、フレーム画像のセンタリング位置Ｃを被写体１１の前方位置に設定し、夫々のセンタリング位置Ｃ３の垂直線を、基準のセンタリング位置Ｃ３の垂直線（図２２では第三フレーム画像）に合致させるよう、被写体１１を移動させ、夫々のフレーム画像を修正する。
【００４８】
ここで、センタリング位置Ｃの設定（浮き、中央、沈み）は、撮影手段５ａの焦点、浮き沈み量等のパラメータを用いた関数式により算出しても良し、撮影手段５ａに予め段階（浮き、中央、沈み）の設定を設けても良い。又、被写体１１と撮影手段５ａの少なくとも一方に、モータ等の駆動手段（図示せず）により移動し得る進退手段（図示せず）を備え、図２３に示す如く、被写体１１と撮影手段５ａの距離を調整してセンタリング位置Ｃを修正し得るようにしても良い。なお、図２３の（ａ）は基準設定、（ｂ）は被写体１１の撮影手段５ａ側への移動によりセンタリング位置Ｃを浮き位置にする設定、（ｃ）は被写体１１の反撮影手段側への移動によりセンタリング位置Ｃを沈み位置にする設定、（ｄ）は撮影手段５ａの被写体側への移動によりセンタリング位置Ｃを浮き位置にする設定、（ｅ）は撮影手段５ａの反被写体側へ移動によりセンタリング位置Ｃを沈み位置にする設定を示している。
【００４９】
一方、立体効果（視覚効果）の選択（図１１のステップＳ４ｂ）の前に、立体効果（視覚効果）または平面効果の選択段階（図１１のステップＳ３）で平面効果を選択した場合には、レンチキュラレンズ１を用いることにより、見る角度を変えると画像が直ちに他の画像へ切り換わるチェインジング、見る角度を変えると画像が徐々に他の画像へ変化するモーフィング、見る角度を変えると画像が移動して変化するムービング、見る角度を変えると画像が拡大又は縮小するズーム等の平面効果を為し得るよう、複数のフレーム画像を作成する（図１１のステップＳ７ｄ）。ここで、フレーム画像は、レンチキュラレンズ１を用いるチェインジング、モーフィング、ムービング、ズーム等の平面効果に限定されるものでなく、通常の平面写真を選択可能しても良い。
【００５０】
以下、背景画像の処理の段階（図１のステップＳ８〜Ｓ１０）を図２４により詳細に説明する。なお、インタレース処理について後で説明する。
【００５１】
第一例の背景画像の選択段階（図１のステップＳ８）では、図２４に示す如く、平面の各画像に段階的な奥行きを持たせるレイヤーデプス、連続的な立体感を実現する擬似フルデプス、連続的で自然な立体感を実現するフルデプス等を備えた種々の背景画像の種類を選択し（ステップＳ８０）、いずれかを選択した場合には、制御部６に記録されている複数の背景画像を表示部（モニター）４に表示し（ステップＳ８１ａ〜Ｓ８１ｃ）、所望の背景画像を選択し（ステップＳ８２ａ〜Ｓ８２ｃ）、被写体１１のフレーム画像をインタレース処理して線状画像にすると同時に、制御部からの背景画像をインタレース処理して線状画像にし、夫々読み込み（ステップＳ９０ａ〜Ｓ９０ｃ）、レンチキュラシート２のレンチキュラレンズ１に対して所定の位置に配置しえるように、被写体１１の線状画像、及び背景画像の線状画像を、フレーム番号が一致するよう配置して背景画像を合成し（ステップＳ９５ａ〜Ｓ９５ｃ）、合成画像を表示部（モニター）４に表示し（ステップＳ１００ａ〜Ｓ１００ｃ）、問題がなければ「ＯＫ」を選択して（ステップＳ１０１ａ〜Ｓ１０１ｃ）、レンチキュラ画像が完成する。ここで、「ＯＫ」を選択する段階（ステップＳ１０１ａ〜Ｓ１０１ｃ）で「ＮＯ」を選択した場合には、複数の背景画像を選択する段階（ステップＳ８１ａ〜Ｓ８１ｃ）へ移行する。なお、「ＮＯ」を選択した場合には、他の段階へ戻るようにしても良い。
【００５２】
又、第一例の背景画像の選択段階（図１のステップＳ８）では、図２４に示す如く、チェインジング、モーフィング、ムービング、ズーム等の平面効果を有する２Ｄ背景画像の背景画像を選択することもでき（ステップＳ８０）、いずれかを選択した場合には、制御部６に記録されている夫々の複数の背景画像を表示部（モニター）４に表示し（ステップＳ８１ｄ）、所望の背景画像を選択し（ステップＳ８２ｄ）、被写体１１のフレーム画像をインタレース処理すると同時に、一種類の絵柄に対して一枚の２Ｄ背景画像を読み込み（ステップＳ９０ｄ）、２Ｄ背景画像を合成し（ステップＳ９５ｄ）、合成画像を表示部（モニター）４に表示し（ステップＳ１００ｄ）、問題がなければ「ＯＫ」を選択して（ステップＳ１０１ｄ）、レンチキュラ画像が完成する。ここで、「ＯＫ」を選択する段階（ステップＳ１０１ｄ）で「ＮＯ」を選択した場合には、複数の背景画像を選択する段階（ステップＳ８１ｄ）へ移行する。なお、図２４では、選択可能な背景画像を２Ｄ背景画像にしているが、更に通常の平面写真を選択可能にしても良い。
【００５３】
次に、被写体１１のフレーム画像をレンチキュラシート２に対応させるインタレース処理の段階（図１のステップＳ９）の第一例を図２５〜図２８により詳細に説明し、第二例を図２９、図３０により詳細に説明する。
【００５４】
第一例のインタレース処理の段階（図１のステップＳ９、図２４のステップＳ９０ａ〜Ｓ９０ｃ）では、複数のフレーム画像を、夫々、レンチキュラシート２の総レンチキュラレンズ数で電気的に分割して複数の矩形画像情報を形成する（図２５のステップＳ９１、図２６では５つのフレーム画像Ａ，Ｂ，Ｃ，Ｄ，Ｅの場合で示す。）。次に、複数の矩形画像情報を、
［式１］
［レンズ幅×（１〜１．０１）÷レンチキュラシート挿入画像数］
で表される幅に、画像を圧縮加工して線状画像情報を形成する（図２５のステップＳ９２、図２７では画像Ａの処理の場合を示し且つ処理後の５つのフレーム画像Ａ，Ｂ，Ｃ，Ｄ，Ｅを示す。）。続いて、画像が奥行き若しくは立体化を生じるよう、線状画像情報を各レンチキュラレンズ１の単位ごとに所定の順番でシリアル配列し（図２５のステップＳ９３、図２８の前段階では４つの画像Ａ，Ｂ，Ｃ，Ｄ，Ｅを配列する状態を示す。）、画像合成し（図２５のステップＳ９４、図２８の後段階では５つの画像Ａ，Ｂ，Ｃ，Ｄ，Ｅを合成した状態を示す。）、インタレース処理の段階を完了する。
【００５５】
第二例のインタレース処理の段階（図１のステップＳ９、図２４のステップＳ９０ａ〜Ｓ９０ｃ）では、複数のフレーム画像を、夫々、第一例のインタレース処理と略同様に、レンチキュラシート２の総レンチキュラレンズ数で電気的に分割して複数の矩形画像情報を形成する（図２９のステップＳ９１ａ）。次に、複数の矩形画像情報を、
［式２］
［レンズ幅×（１〜１．０１）÷レンチキュラシート挿入画像数］
で表される幅に、画像を切取加工して線状画像情報を形成する（図２９のステップＳ９２ａ）。続いて、線状画像情報を［レンズ幅×（１〜１．０１）］のピッチで配列する（図２９のステップＳ９３ａ）。更に、画像が奥行き若しくは立体化を生じるよう、配列後の線状画像情報を、各画像の変化ごとに
［式３］
［レンズ幅×（１〜１．０１）÷レンチキュラシート挿入画像数×画像変化順番］
で表される、所定のずらし量でずらして重ね合わせ（図２９のステップＳ９３ｂ、図３０では４つの画像Ａ，Ｂ，Ｃ，Ｄ，Ｅをずらして重ね合せる状態を示す。）、画像合成し（図２９のステップＳ９４ａ、図１５の後段階では４つの画像Ａ，Ｂ，Ｃ，Ｄ，Ｅを合成した状態を示す。）、インタレース処理の段階を完了する。
【００５６】
ここで、第一例及び第二例の式１〜３において、レンズ幅に（１〜１．０１）を掛ける理由は、レンズピッチＰに対する絵柄ピッチＰｐは次式で表されることから、
［式４］
Ｐｐ＝［１＋（ｔ−ｒ）／Ｄ］×Ｐ
Ｄ：レンチキュラ製品を観察する距離
ｔ：レンチキュラレンズの厚さ
ｒ：レンチキュラレンズの曲率半径
絵柄ピッチＰｐの数値は、レンチキュラ製品を観察する距離や、レンズ仕様（レンチキュラレンズの厚さ、レンチキュラレンズの曲率半径）により変化し、これらを変化させても、［１＋（ｔ−ｒ）／Ｄ］により１〜１．０１の範囲に入るためである。
【００５７】
次に、同様の処理により、背景画像をインタレース処理（図３１の前段階、図１のステップＳ１０、図２４のステップＳ９０ａ〜Ｓ９０ｃ）し、続いてレンチキュラシート２のレンチキュラレンズ１に対応し得るように、被写体１１の線状画像、及び背景画像の線状画像を、フレーム番号が一致するよう配置して背景画像を合成し（図３１の後段階、図２４のステップＳ９５ａ〜Ｓ９５ｃ）、合成画像を表示部（モニター）４に表示し（図２４のステップＳ１００ａ〜Ｓ１００ｃ）、問題がなければ「ＯＫ」を選択して（図２４のステップＳ１０１ａ〜Ｓ１０１ｃ）、レンチキュラ画像が完成する。
【００５８】
続いて、被写体１１のフレーム画像及び背景画像をインタレース処理及び合成処理（図１のステップＳ９、Ｓ１０）の後の、レンチキュラシート２若しくはメディアシートへ画像を出力する出力段階（ステップＳ１１）は、図１に示す如くレンチキュラシート２に画像を出力するもの（ステップＳ１１ａ）と、紙やプラスチックシート等のメディアシート（通常記録材料）に画像を出力するもの（ステップＳ１１ｂ，Ｓ１１ｃ）とがあり、以下、詳細に説明する。
【００５９】
レンチキュラシート２に画像を出力するもの（ステップＳ１１ａ）は、インタレース処理した画像とレンチキュラシート２とを出力部７により位置合わせし、画像を直接レンチキュラシート２に出力する。ここで、画像とレンチキュラシート２との位置合わせは、レンチキュラシート２のエッジをアライメント枠に突き当ててレンチキュラシート２の位置を決定しても良いし、感圧信号、光学信号、画像信号等によりレンズの所定位置を検出してレンチキュラシート２の位置を検出・調整しても良いし、レンチキュラシート２に所定のアライメントマークを入れてアライメントマークの検出によりレンチキュラシート２の位置を検出・調整しても良い。又、レンチキュラシート２への出力は、感光剤を用いる銀塩式でも良いし、インクジェットプリンタ、昇華式プリンタ、電子写真式プリンタによるものでも良い。
【００６０】
紙やプラスチックシート等のメディアシートに画像を出力するもの（ステップＳ１１ｂ，１１ｃ）は、インタレース処理した画像を紙やプラスチックシート等のメディアシートに出力し（ステップＳ１１ｂ）、出力したメディアシートとレンチキュラシート２とを位置合わせして貼り付ける（ステップＳ１１ｃ）。ここで、メディアシートへの出力は、感光剤を用いる銀塩式でも良いし、インクジェットプリンタ、昇華式プリンタ、電子写真式プリンタによるものでも良い。又、出力したメディアシートとレンチキュラシート２との位置合わせは、レンチキュラシート２のエッジをアライメント枠に突き当ててレンチキュラシート２の位置を決定しても良いし、感圧信号、光学信号、画像信号等によりレンズの所定位置を検出してレンチキュラシート２の位置を検出・調整しても良いし、レンチキュラシート２に所定のアライメントマークを入れてアライメントマークの検出によりレンチキュラシート２の位置を検出・調整しても良い。
【００６１】
レンチキュラシート２若しくはメディアシートへ画像を出力した（ステップＳ１１）後には、所定の大きさに裁断する処理や、台紙の貼り合わせ処理、裏面の塗布処理等を適宜行い（ステップＳ１２）、画像印刷物（レンチキュラ製品）として排出する（ステップＳ１３）。
【００６２】
このように、本発明の形態例の画像印刷物の作成方法及びその作成装置によれば、使用画像の取込から画像印刷物の作成までを、立体効果（視覚効果）に応じる処理と、レンチキュラシート２に画像を対応させるインタレース処理とを介して一連の処理で行うことにより、レイヤーデプス、擬似フルデプス、フルデプスの少なくとも１つの視覚効果を備えるので、画像印刷物は、固定した視覚効果に限定されることなく、奥行きや立体感の視覚効果を得ることができる。又、使用画像の取込から画像印刷物の作成までを一連の処理で行うので、視覚効果を備えた画像印刷物を、使用画像の取込から容易に且つ連続的に作成することができる。
【００６３】
課金を確認する処理を備え、課金確認から画像印刷物の作成までを一連の処理で行うと、視覚効果を備えた画像印刷物を、課金確認から容易に且つ連続的に作成することができる。
【００６４】
使用画像の取込を、撮影手段５ａによる撮影、内部画像記憶手段からの読込、外部画像記憶手段からの読込より選択して行うと、使用画像の自由度を高めるので、奥行きや立体感の視覚効果を一層高めると共に、視覚効果を備えた画像印刷物を容易に作成することができる。
【００６５】
撮影手段５ａによる撮影は、予め決めた位置に被写体１１を誘導するよう、撮影位置を指定すると、被写体１１を適切に撮影位置に配置し得るので、視覚効果を備えた画像印刷物を容易に作成することができる。
【００６６】
撮影手段５ａによる撮影は、鏡又は表示部４に位置決め用のマーキング１５を形成し、マーキングに被写体１１を一致させると、被写体１１を好適に撮影位置に配置し得るので、視覚効果を備えた画像印刷物を容易に作成することができる。
【００６７】
撮影手段５ａによる撮影は、単数又は複数の撮影手段を被写体１１に対して直線状若しくは円弧状に配置し、異なる方向から撮影すると、被写体１１を一層好適に撮影し得るので、視覚効果を備えた画像印刷物を容易に作成することができる。
【００６８】
インタレース処理した画像をメディアシートに出力すると、画像印刷部の作成を一層容易にするので、使用画像の取込から画像印刷物の作成までを好適に行うと共に製造コストを低減することができる。
【００６９】
インタレース処理した画像をメディアシートに出力し、出力したメディアシートとレンチキュラシート２とを位置合わせするよう貼り付けて画像印刷物を作成すると、画像印刷部の作成を容易にするので、使用画像の取込から画像印刷物の作成までを好適に行うことができる。
【００７０】
インタレース処理した画像をレンチキュラシート２に位置合わせして出力すると、画像印刷部の作成を容易にするので、使用画像の取込から画像印刷物の作成までを好適に行うことができる。
【００７１】
視覚効果に応じる処理で、
レイヤーデプスの処理は、平面に奥行きが形成される浮き沈み量に対応するよう、一枚の画像を左右方向へ移動させて複数のフレーム画像を作成し、
擬似フルデプスの処理は、平面に立体感が形成される浮き沈み量に対応するよう、横方向に区画した一枚の画像の画像要素を左右方向へ移動させて、全体を変形する複数のフレーム画像を作成し、
フルデプスの処理は、平面に立体感が形成される浮き沈み量及び立体中心位置に基づき、被写体１１を異なる方向から撮影して複数のフレーム画像を作成すると、視覚効果に応じる処理を容易且つ適切に行うので、奥行きや立体感の視覚効果を一層高めると共に、画像の取込から画像印刷物の作成までを好適に行うことができる。
【００７２】
単数又は複数の撮影手段５ａを被写体１１に対して直線状に配置し、異なる方向から撮影する場合において、フルデプスの処理は、撮影された複数の写真における被写体１１のセンタリング位置Ｃを合わせるよう、フレーム画像の位置を調整すると、被写体１１の立体感を生じるフルデプスのフレーム画像を修正するので、画像の取込から画像印刷物の作成までを好適に行うことができる。
【００７３】
レンチキュラシート２の被写体１１の表示配置を変更し得るようセンタリング位置Ｃを修正すると、被写体１１の立体感を生じるフルデプスのフレーム画像に浮き沈みを加えて修正し得るので、奥行きや立体感の視覚効果を一層高めると共に、画像の取込から画像印刷物の作成までを一層好適に行うことができる。
【００７４】
レンチキュラシート２の被写体１１の表示配置を変更し得るよう被写体１１と撮影手段５ａの距離を調整すると、被写体１１の立体感を生じるフルデプスのフレーム画像に浮き沈みを加えてを修正し得るので、奥行きや立体感の視覚効果を一層高めると共に、画像の取込から画像印刷物の作成までを一層好適に行うことができる。
【００７５】
インタレース処理は、レンチキュラシート２のレンチキュラレンズ数に対応するよう画像を分割し、分割した画像をレンチキュラレンズ１の幅に対応するよう線状画像に加工し、線状画像を、画像が奥行き又は立体感を生じる順番で各レンチキュラレンズ単位ごとに配列すると、インタレース処理を容易に行うので、使用画像の取込から画像印刷物の作成までを好適に行うことができる。
【００７６】
インタレース処理は、レンチキュラシート２のレンチキュラレンズ数に対応するよう画像を分割し、分割した画像をレンチキュラレンズ１の幅に対応するよう線状画像に加工し、線状画像をレンチキュラレンズ１の配置に対応するピッチで配列し、夫々の線状画像を、画像が奥行き又は立体感を生じる順番でずらして重ね合せると、インタレース処理を容易に行うので、使用画像の取込から画像印刷物の作成までを好適に行うことができる。
【００７７】
立体又は非立体の視覚効果を含む背景画像を選択してインタレース処理により線状画像を作成し、背景画像の線状画像とフレーム画像の線状画像とを合成すると、被写体１１の画像に背景画像を加えるので、画像印刷物は、奥行きや立体感の視覚効果に限定されることなく、一層視覚効果を高めることができる。
【００７８】
以下、図３２〜図３４は、本発明を実施する形態の第二例を示すものである。ここで、第二例は、第一例の課金を確認する段階（図１のステップＳ１）から背景画像を選択する段階（ステップＳ８）まで、及び画像を出力する出力段階（ステップＳ１１）から画像印刷物を排出する排出段階（ステップＳ１３）までは略同じ処理であり、被写体１１の画像と背景画像のインタレース処理及び合成処理を変更したものである。
【００７９】
ユーザが画像印刷物の作成方法及びその作成装置により画像印刷物を作成する際には、図３２に示すフローに示す如く、第一例と略同様に、課金を確認する確認段階（ステップＳ１）、使用画像の選択段階（ステップＳ２）、立体・平面の選択段階（ステップＳ３）、画像の浮き沈み量や立体効果（視覚効果）を選択する段階（ステップＳ４）、フルデプス用の設定段階（ステップＳ５、他の立体処理も第一例と略同じ）、画像読込段階（ステップＳ６）、フレーム画像の処理段階（ステップＳ７）と、背景画像の選択段階（ステップＳ８）を介し、被写体１１の画像と背景画像を合成する合成処理の段階（ステップＳ９ａ）と、レンチキュラシート２に合成画像を対応させるインタレース処理の段階（ステップＳ１０ａ）とを備えている。
【００８０】
この後、第一例と略同様に、画像を出力する出力段階（ステップＳ１１）、裁断等の加工をする後加工段階（ステップＳ１２）、画像印刷物を排出する排出段階（ステップＳ１３）を経て、平面の各画像に段階的な奥行きを持たせるレイヤーデプス、連続的な立体感を実現する擬似フルデプス、連続的で自然な立体感を実現するフルデプスの少なくとも１つの視覚効果を備える画像印刷物を作成する。
【００８１】
以下、背景画像の選択段階（図３２のステップＳ８）を含めて合成画像の段階（図３２のステップＳ９ａ）を図３３、図３４により詳細に説明する。なお、インタレース処理（図３２のステップＳ１０ａ）は第一例と略同じである。
【００８２】
第二例の背景画像の選択段階（ステップＳ８０）では、平面の各画像に段階的な奥行きを持たせるレイヤーデプス、連続的な立体感を実現する擬似フルデプス、連続的で自然な立体感を実現するフルデプスから背景画像の種類を選択し（ステップＳ８０）、いずれかを選択した場合には、制御部６に記録されて所定の視覚効果を有する夫々の複数の背景画像を表示部（モニター）４に表示し（ステップＳ８１ａ〜Ｓ８１ｃ）、所望の背景画像を選択し（ステップＳ８２ａ〜Ｓ８２ｃ）、１枚の背景画像の絵柄に対して複数枚のフレーム画像を制御部から読み込み（ステップＳ９６ａ〜Ｓ９６ｃ）、被写体１１のフレーム画像に、背景画像のフレーム画像を合成し（ステップＳ９７ａ〜Ｓ９７ｃ、図３４の前段階）、合成画像を表示部（モニター）４に表示し（ステップＳ１００ａ〜Ｓ１００ｃ）、問題がなければ「ＯＫ」を選択して（ステップＳ１０１ａ〜Ｓ１０１ｃ）、レンチキュラ画像が完成する。ここで、「ＯＫ」を選択する段階（ステップＳ１０１ａ〜Ｓ１０１ｃ）で「ＮＯ」を選択した場合には、複数の背景画像を選択する段階（ステップＳ８１ａ〜Ｓ８１ｃ）へ移行する。なお、「ＮＯ」を選択した場合には、他の段階へ戻るようにしても良い。又、背景画像の読み込み（ステップＳ９６ａ〜９６ｃ）において、背景画像を、第一例の被写体１１の画像の如く複数のフレーム画像を作成しても良い。
【００８３】
又、第二例の背景画像の選択段階（ステップＳ８０）では、チェインジング、モーフィング、ムービング、ズーム等の平面効果を有する２Ｄ背景画像の背景画像の種類を選択することもでき（ステップＳ８０）、いずれかを選択した場合には、制御部６に記録されて所定の視覚効果を有する夫々の複数の背景画像を表示部４に表示し（ステップＳ８１ｄ）、所望の背景画像を選択し（ステップＳ８２ｄ）、一種類の絵柄に対して一枚の２Ｄ背景画像を読み込み（ステップＳ９６ｄ）、２Ｄ背景画像を合成し（ステップＳ９７ｄ）、合成画像を表示部（モニター）４に表示し（ステップＳ１００ｄ）、問題がなければ「ＯＫ」を選択して（ステップＳ１０１ｄ）、レンチキュラ画像が完成する。ここで、「ＯＫ」を選択する段階（ステップＳ１０１ｄ）で「ＮＯ」を選択した場合には、複数の背景画像を選択する段階（ステップＳ８１ｄ）へ移行する。なお、図３３では、選択可能な背景画像を、２Ｄ背景画像にしているが、更に通常の平面写真を選択可能にしても良い。
【００８４】
次に、合成したフレーム画像をレンチキュラシート２に対応させるよう、第一例と略同様にインタレース処理し（図３２のステップＳ１０ａ、図３４の後段階）、第一例と略同様に、レンチキュラシート２若しくはメディアシートへ画像を出力する出力段階（図３２のステップＳ１１）、及び裁断等の加工をする後加工段階（図３２のステップＳ１２）を行い、画像印刷物（レンチキュラ製品）として排出する（ステップＳ１３）。
【００８５】
このため、第二例によれば、第一例と同様な作用効果を得ることができる。
【００８６】
又、立体又は非立体の視覚効果を含む背景画像を選択して複数のフレーム画像に合成し、合成フレーム画像をインタレース処理すると、被写体１１の画像に背景画像を加えるので、画像印刷物は、奥行きや立体感の視覚効果に限定されることなく、一層視覚効果を高めることができる。
【００８７】
なお、本発明の画像印刷物の作成方法及びその作成装置は、上述の図示例にのみ限定されるものではなく、レンチキュラシートを用いて視覚効果を有する画像印刷物を一連の処理で作成するならば、処理の順番や装置の構成を変更しても良いこと、被写体は、特に限定されるものでなく、人や物でも良いこと、その他、本発明の要旨を逸脱しない範囲内において種々変更を加え得ることは勿論である。
【図面の簡単な説明】
【００８８】
【図１】本発明を実施する形態例であって課金確認からレンチキュラ製品排出までの過程を示す第一例の基本フロー図である。
【図２】本発明を実施する形態例の構成ブロック図である。
【図３】レンチキュラレンズの基本的な構造を示す斜視図である。
【図４】レンチキュラレンズで奥行きや立体効果（視覚効果）を説明する概念図である。
【図５】課金確認から写真撮影までの処理を詳細に示すフロー図である。
【図６】被写体の撮影位置を決める状態を示す概念図である。
【図７】被写体を撮影位置に誘導する位置や椅子を示す概念図である。
【図８】被写体を撮影位置に誘導するラインやマーキングを示す概念図である。
【図９】単数又は複数の撮影手段の構成を示す概念図である。
【図１０】外部画像の読込を示すフロー図である。
【図１１】立体効果（視覚効果）の選択を示すフロー図である。
【図１２】レイヤーデプスに応じる処理と浮き沈みの効果を示す概略図である。
【図１３】擬似フルデプスに応じる処理と浮き沈みの効果を示す概略図である。
【図１４】フルデプスに応じる処理であって浮き沈み量の設定のための撮影手段の制御を示す概略図である。
【図１５】フルデプスに応じる処理であって浮き沈み量の設定の効果を示す概略図である。
【図１６】フルデプスに応じる処理であって立体中心位置の設定のための撮影手段の制御を示す概略図である。
【図１７】フルデプスに応じる処理であって立体中心位置の設定の効果を示す概略図である。
【図１８】フルデプスに応じる処理であって撮影手段を直線状に配置した場合のズレを示す概念図である。
【図１９】フルデプスに応じる処理であって撮影手段を直線状に配置した場合のセンタリング処理を示すフロー図である。
【図２０】フルデプスに応じる処理であって撮影手段を直線状に配置した場合のセンタリング処理を示す概念図である。
【図２１】センタリング処理であってセンタリング位置を変更する概念図である。
【図２２】センタリング処理であってセンタリング位置を変更した場合の処理を示す概念図である。
【図２３】センタリング位置を変更するよう撮影手段と被写体の距離を調整する概念図である。
【図２４】背景画像を合成する処理の第一例を示すフロー図である。
【図２５】インタレース処理の第一例を示すフロー図である。
【図２６】インタレース処理の第一例であって原画像分割処理を示す概念図である。
【図２７】インタレース処理の第一例であって線状画像処理を示す概念図である。
【図２８】インタレース処理の第一例であって線状画像のシリアル配列処理を示す概念図である。
【図２９】インタレース処理の第二例を示すフロー図である。
【図３０】インタレース処理の第二例であって線状画像をずらして重ね合わせる処理を示す概念図である。
【図３１】背景画像のインタレース処理と、被写体の線状画像と背景画像の線状画像を合成する状態を示す概念図である。
【図３２】本発明を実施する形態例であって課金確認からレンチキュラ製品排出までの過程を示す第二例の基本フロー図である。
【図３３】背景画像を合成する処理の第二例を示すフロー図である。
【図３４】被写体の画像と背景画像を合成してインタレース処理する状態を示す概念図である。
【符号の説明】
【００８９】
１    レンチキュラレンズ
２    レンチキュラシート
４    表示部（モニター）
５ａ  撮影手段
１１    被写体
１２    位置
１３    椅子（位置）
１４    ライン（位置）
１５    マーキング
Ｃ    センタリング位置
Ｃ１  センタリング位置
Ｃ２  センタリング位置
Ｃ３  センタリング位置
【図１】
2006311422.tif 000003
【図２】
2006311422.tif 000004
【図３】
2006311422.tif 000005
【図４】
2006311422.tif 000006
【図５】
2006311422.tif 000007
【図６】
2006311422.tif 000008
【図７】
2006311422.tif 000009
【図８】
2006311422.tif 000010
【図９】
2006311422.tif 000011
【図１０】
2006311422.tif 000012
【図１１】
2006311422.tif 000013
【図１２】
2006311422.tif 000014
【図１３】
2006311422.tif 000015
【図１４】
2006311422.tif 000016
【図１５】
2006311422.tif 000017
【図１６】
2006311422.tif 000018
【図１７】
2006311422.tif 000019
【図１８】
2006311422.tif 000020
【図１９】
2006311422.tif 000021
【図２０】
2006311422.tif 000022
【図２１】
2006311422.tif 000023
【図２２】
2006311422.tif 000024
【図２３】
2006311422.tif 000025
【図２４】
2006311422.tif 000026
【図２５】
2006311422.tif 000027
【図２６】
2006311422.tif 000028
【図２７】
2006311422.tif 000029
【図２８】
2006311422.tif 000030
【図２９】
2006311422.tif 000031
【図３０】
2006311422.tif 000032
【図３１】
2006311422.tif 000033
【図３２】
2006311422.tif 000034
【図３３】
2006311422.tif 000035
【図３４】
2006311422.tif 000036